(57)【要約】【課題】二次電池からの電源供給を停止した電源遮断状態と、電源供給を可能とした電源供給状態との間での切替えを、受電モジュールの送電モジュールへの装着状態の検出結果に応じて制御する。【解決手段】送電コイル（２）を有する送電モジュール（１）と、電磁誘導を介して受電する受電コイル（４）、及び受電した電力により充電される二次電池（１２）を有する受電モジュール（３）とを備えた非接触充電システム。受電モジュールは、二次電池の電源遮断状態と、電源供給状態との間の切替えを行う切替制御部（１３、１５）と、受電コイルにおける高周波電力の受電キャリアの存在の有無に応じてＯＮとＯＦＦが切り替わるＳＷ信号を生成するキャリア検出回路（１４）とを備える。切替制御部は、ＳＷ信号が受電キャリアの存在を示す状態のときには電源遮断状態に制御し、ＳＷ信号が受電キャリアの不在を示す状態のときには電源供給状態に制御する。【選択図】図１
2014050270.tif 000002
【特許請求の範囲】
【請求項１】
高周波電力を送電するための送電コイルを有する送電モジュールと、
電磁誘導を介して前記高周波電力を受電する受電コイル、及び受電した電力を整流した直流電力により充電される二次電池を有する受電モジュールとを備えた非接触充電システムにおいて、
前記受電モジュールは、
前記二次電池の放電による電源供給を停止した電源遮断状態と、前記二次電池の放電による電源供給を可能とした電源供給状態との間の切替えを行う切替制御部と、
前記受電コイルにおける前記高周波電力の受電キャリアの存在の有無に応じてＯＮとＯＦＦが切り替わるＳＷ信号を生成するキャリア検出回路とを備え、
前記切替制御部は、前記ＳＷ信号が前記受電キャリアの存在を示す状態のときには前記電源遮断状態に制御し、前記ＳＷ信号が前記受電キャリアの不在を示す状態のときには前記電源供給状態に制御することを特徴とする非接触充電システム。
【請求項２】
前記受電モジュールは、前記二次電池が満充電であるか否かを検出して充電検出信号を出力する充電状態検出部と、前記充電検出信号を含むデータを送信する送信部とを備え、
前記送電モジュールは、前記受電モジュールの前記送信部からの送信データを受信する受信部と、前記送電コイルに供給する前記高周波電力の送電キャリアのレベルを、通常送電レベルと、前記通常送電レベルよりも低い低減レベルの間で切替える制御を行う送電制御回路とを備え、
前記送電制御回路は、前記受信部が受信する前記充電検出信号が満充電ではない状態を示しているときには前記送電キャリアのレベルを前記通常送電レベルに制御し、満充電の状態を示しているときには前記低減レベルに制御する請求項１に記載の非接触充電システム。
【請求項３】
高周波電力を送電するための送電コイルを有する送電モジュールと、
電磁誘導を介して前記高周波電力を受電する受電コイル、及び受電した電力を整流した直流電力により充電される二次電池を有する受電モジュールとを備えた非接触充電システムにおいて、
前記受電モジュールは、
前記二次電池の放電による電源供給を停止した電源遮断状態と、前記二次電池の放電による電源供給を可能とした電源供給状態との間の切替えを行う切替制御部と、
前記送電モジュールに対して前記受電モジュールが所定の受電位置に装着された状態を検出して装着検出信号を出力する装着検出部とを備え、
前記切替制御部は、前記装着検出信号が出力されているときには前記電源遮断状態に制御し、前記装着検出信号が出力されていないときには前記電源供給状態に制御することを特徴とする非接触充電システム。
【請求項４】
前記受電モジュールは、前記二次電池が満充電であるか否かを検出して充電検出信号を出力する充電状態検出部と、前記充電検出信号を含むデータを送信する送信部とを備え、
前記送電モジュールは、前記受電モジュールの前記送信部からの送信データを受信する受信部と、前記送電コイルに供給する前記高周波電力の送電キャリアのレベルを、通常送電レベルと、送電停止レベルの間で切替える制御を行う送電制御回路とを備え、
前記送電制御回路は、前記受信部が受信する前記充電検出信号が満充電ではない状態を示しているときには前記送電キャリアのレベルを前記通常送電レベルに制御し、満充電の状態を示しているときには前記送電停止レベルに制御することを特徴とする非接触充電システム。
【請求項５】
前記装着検出部は、近接スイッチにより構成され、
前記送電モジュールは、前記受電モジュールの前記受電位置に隣接して配置された切替作用部を備え、
前記受電モジュールが前記受電位置に配置された状態で、前記近接スイッチが前記切替作用部により切替えられて、前記装着検出信号が生成される請求項３に記載の非接触充電システム。
【発明の詳細な説明】
【技術分野】
【０００１】
本発明は、電磁誘導を利用して非接触で電力を伝送し受電側に内蔵された二次電池に充電する非接触充電システムに関し、特に、二次電池に対する充電時の状態と、二次電池から電力を供給する放電時の状態との間の切替え機能に関する。
【背景技術】
【０００２】
近年、携帯電話をはじめとする小型の電気機器に対して、非接触（ワイヤレス）で給電する非接触電力伝送システムが採用されつつある。小型の電気機器に内蔵された二次電池を充電するために、非接触電力伝送による充電システムを採用すれば、充電操作の煩雑さが大幅に改善される。また、ボタン型リチウムイオン電池で動作する補聴器のような小型のセット機器の場合、使用環境を考慮して防水構造が必要である場合が多いので、形態上、電池を非接触で充電することが必須とされる。
【０００３】
非接触充電システムは、例えば充電器に組み込まれた送電モジュールと、セット機器に組み込まれた受電モジュールにより構成される。送電モジュールの送電コイルと受電モジュールの受電コイルの間の電磁誘導を介して、送電モジュールから受電モジュールへ電力が伝送される。受電モジュールでは、受電コイルが受電した高周波電力を直流電力に変換し、充電電圧に電圧変換して、二次電池に対する充電が行われる。
【０００４】
上述のような小型のセット機器では、容量の小さいボタン型の二次電池が使用されるので、非接触充電に際して蓄電エネルギーを有効に使用する必要がある。従って、二次電池に対する充電動作中には、二次電池の放電によるセット機器に対する通常の電源供給を停止した電源遮断状態に制御されることが望ましい。セット機器に対する通常の電源供給が可能な電源供給状態へは、満充電になったことが検出された後に切替可能とする。
【０００５】
一方、満充電が検出されていても、受電モジュールが送電モジュールの所定の受電位置に装着されている状態では、電源供給状態に切替えないように制御を行うことが望ましい。送電モジュールに装着された状態でセット機器を通常の使用に供することは、想定する必要が無い場合が多いからである。従って、電源遮断状態と電源供給状態の間の切替えは、受電モジュールが送電モジュールにに装着されているか否かに応じて制御されることが望ましい。
【０００６】
しかし、補聴器のような小型のセット機器に、手動で動作を切替える機能を設けることは、構成上困難であり、また操作が煩雑になる。従って、受電モジュールの装着状態を検出可能とし、その検出結果に応じて電源遮断状態と電源供給状態の間の切替えを行う構成とすることが必要である。
【０００７】
特許文献１には、非接触充電システムの一例として、受電側である負荷部の蓄電池の満充電を検出し、それに応じて動作モードを切替える構成が開示されている。すなわち、満充電による負荷部の２次コイルの負荷変化に伴い１次コイルに現れる電圧変化に基づき、満充電を検出する。それに応じて、１次側である電源部からの、負荷部への送電の停止を制御する。
【０００８】
また、特許文献２〜４に記載された非接触充電システムには、満充電になると、送電側からの充電のための通常送電を停止し、通常送電の再開が必要か否かを確認するための動作を、間欠的に繰り返す構成が開示されている。
【先行技術文献】
【特許文献】
【０００９】
【特許文献１】特開平６−３３９２３２号公報
【特許文献２】特開２００８−１７８１９５号公報
【特許文献３】特開２００８−２３６９６８号公報
【特許文献４】特開２０１０−３５４１７号公報
【発明の概要】
【発明が解決しようとする課題】
【００１０】
特許文献１〜４の開示は、満充電の検出に応じて、送電側の送電動作を制御する構成に止まり、受電側での二次電池に係る動作を制御する構成についての開示はない。すなわち、特許文献１〜４に開示された制御は、二次電池への充電中には小型機器に対する電源供給を停止し、満充電の検出に応じて、通常の電源供給を行う電源供給状態への切替えを可能とするものではない。
【００１１】
当然ながら、特許文献１〜４には、受電モジュールが送電モジュールの所定の受電位置に装着されているか否かに応じて、電源遮断状態と電源供給状態の間の切替えを制御することについての記載はない。
【００１２】
従って、本発明は、二次電池の放電による電源供給を停止した電源遮断状態と、電源供給を可能とした電源供給状態との間での切替えを、受電モジュールが送電モジュールに装着されているか否かの検出結果に応じて制御する非接触充電システムを提供することを目的とする。
【課題を解決するための手段】
【００１３】
本発明の非接触充電システムは、基本的な構成要素として、高周波電力を送電するための送電コイルを有する送電モジュールと、電磁誘導を介して前記高周波電力を受電する受電コイル、及び受電した電力を整流した直流電力により充電される二次電池を有する受電モジュールとを備える。
【００１４】
上記課題を解決するために、本発明の第１構成の非接触充電システムは、前記受電モジュールが、前記二次電池の放電による電源供給を停止した電源遮断状態と、前記二次電池の放電による電源供給を可能とした電源供給状態との間の切替えを行う切替制御部と、前記受電コイルにおける前記高周波電力の受電キャリアの存在の有無に応じてＯＮとＯＦＦが切り替わるＳＷ信号を生成するキャリア検出回路とを備え、前記切替制御部は、前記ＳＷ信号が前記受電キャリアの存在を示す状態のときには前記電源遮断状態に制御し、前記ＳＷ信号が前記受電キャリアの不在を示す状態のときには前記電源供給状態に制御することを特徴とする。
【００１５】
本発明の第２構成の非接触充電システムは、前記受電モジュールが、前記二次電池の放電による電源供給を停止した電源遮断状態と、前記二次電池の放電による電源供給を可能とした電源供給状態との間の切替えを行う切替制御部と、前記送電モジュールに対して前記受電モジュールが所定の受電位置に装着された状態を検出して装着検出信号を出力する装着検出部とを備え、前記切替制御部は、前記装着検出信号が出力されているときには前記電源遮断状態に制御し、前記装着検出信号が出力されていないときには前記電源供給状態に制御することを特徴とする。
【発明の効果】
【００１６】
上記第１構成の非接触充電システムによれば、キャリア検出回路による受電キャリアの検出の有無に応じて、受電モジュールの送電モジュールへの装着状態を判断し、切替制御部による電源遮断状態と電源供給状態の切替えを制御する。これにより、セット機器が通常の使用に供されていないにも関わらず放電が可能になることが回避され、小容量の二次電池の蓄電エネルギーの浪費を防止するために効果的である。
【００１７】
第２構成の非接触充電システムによれば、装着検出部からの装着検出信号に基づき、受電モジュールの送電モジュールへの装着状態に応じて、切替制御部による電源遮断状態と電源供給状態の切替えを制御する。これにより、第１構成の場合と同様の効果が得られる。
【図面の簡単な説明】
【００１８】
【図１】実施の形態１における非接触充電システムを示すブロック図
【図２】同非接触充電システムの動作を説明するための波形図
【図３】実施の形態２における非接触充電システムを示すブロック図
【図４】同非接触充電システムの動作を説明するための波形図
【図５】実施の形態３における非接触充電システムを示すブロック図
【図６】同非接触充電システムの動作を説明するための波形図
【発明を実施するための形態】
【００１９】
本発明の非接触充電システムは、上記構成を基本として、以下のような態様をとることができる。
【００２０】
すなわち、第１構成の非接触充電システムにおいて、前記受電モジュールは、前記二次電池が満充電であるか否かを検出して充電検出信号を出力する充電状態検出部と、前記充電検出信号を含むデータを送信する送信部とを備え、前記送電モジュールは、前記受電モジュールの前記送信部からの送信データを受信する受信部と、前記送電コイルに供給する前記高周波電力の送電キャリアのレベルを、通常送電レベルと、前記通常送電レベルよりも低い低減レベルの間で切替える制御を行う送電制御回路とを備え、前記送電制御回路は、前記受信部が受信する前記充電検出信号が満充電ではない状態を示しているときには前記送電キャリアのレベルを前記通常送電レベルに制御し、満充電の状態を示しているときには前記低減レベルに制御する構成とすることができる。
【００２１】
また、第２構成の非接触充電システムにおいて、前記受電モジュールは、前記二次電池が満充電であるか否かを検出して充電検出信号を出力する充電状態検出部と、前記充電検出信号を含むデータを送信する送信部とを備え、前記送電モジュールは、前記受電モジュールの前記送信部からの送信データを受信する受信部と、前記送電コイルに供給する前記高周波電力の送電キャリアのレベルを、通常送電レベルと、送電停止レベルの間で切替える制御を行う送電制御回路とを備え、前記送電制御回路は、前記受信部が受信する前記充電検出信号が満充電ではない状態を示しているときには前記送電キャリアのレベルを前記通常送電レベルに制御し、満充電の状態を示しているときには前記送電停止レベルに制御する構成とすることができる。
【００２２】
また、前記装着検出部は、近接スイッチにより構成され、前記送電モジュールは、前記受電モジュールの前記受電位置に隣接して配置された切替作用部を備え、前記受電モジュールが前記受電位置に配置された状態で、前記近接スイッチが前記切替作用部により切替えられて、前記装着検出信号が生成される構成とすることができる。
【００２３】
以下、本発明の実施形態について図面を参照しながら説明する。
【００２４】
＜実施の形態１＞
実施の形態１における非接触充電システムについて、図１に示すブロック図を参照して説明する。このシステムは、送電モジュール１の送電コイル２と、受電モジュール３の受電コイル４の間で、電磁誘導を介して電力を伝送するように構成されている。送電モジュール１は充電器に組み込まれ、受電モジュール３は、例えば携帯電話や補聴器等のセット機器に組み込まれる。
【００２５】
送電コイル２と共振コンデンサ５からなる共振回路に対し、コイルドライバ６から高周波電力が供給されて、送電コイル２からの送電が行われる。コイルドライバ６の動作は、送電制御回路７により制御される。受電モジュール３では、受電コイル４と共振コンデンサ８の並列回路からなる共振回路によって高周波電力を受電する。共振コンデンサ８の両端の交流電圧は、整流回路９に供給されて直流電圧に変換される。
【００２６】
整流回路９の出力電力はレギュレータ１０により一定電圧に制御され、充電制御回路１１による制御を介して二次電池１２に供給される。充電制御回路１１は、二次電池１２に対する充電制御の機能を有する他に、図示を省略するが、二次電池１２の保護回路としての機能も含むように構成される。二次電池１２の放電電力は、出力スイッチ１３を介して、この受電モジュール３を内蔵したセット機器の電源部１５に供給される。従って、出力スイッチ１３がＯＦＦのときは、二次電池１２の放電による電源供給を停止した電源遮断状態となり、出力スイッチ１３がＯＮのときは、二次電池１２の放電による電源供給を可能とした電源供給状態となる。
【００２７】
整流回路９の出力側にはさらに、キャリア検出回路１４が接続されている。キャリア検出回路１４は、受電コイル４における高周波電力のキャリアの存在の有無を検出し、受電キャリアの存在の有無に応じてＯＮとＯＦＦが切り替わるＳＷ信号を生成する。このＳＷ信号により、出力スイッチ１３のＯＮ・ＯＦＦが制御される。
【００２８】
キャリア検出回路１４の動作について、図２を参照して説明する。図２には、受電コイル４における高周波電力のキャリア信号（ａ）の波形と、キャリア検出回路１４が出力するＳＷ信号（ｂ）の波形と、充電モード及び放電モードの期間との対応が示される。キャリア信号（ａ）におけるキャリア波形１６が存在する期間が、充電モードに対応する。キャリア波形１６が存在しない期間が、放電モードに対応する。ＳＷ信号（ｂ）は、キャリア信号（ａ）の波形に応じて切替わり、キャリア波形１６が存在する期間（充電モード）にはＯＦＦ、キャリア波形１６が存在しない期間（放電モード）にはＯＮの波形となる。
【００２９】
キャリア検出回路１４は、ＳＷ信号のＯＮ・ＯＦＦにより出力スイッチ１３を制御することにより、出力スイッチ１３とともに切替制御部を構成する。すなわち、ＳＷ信号のＯＦＦにより出力スイッチ１３をＯＦＦに制御し、電源遮断状態を維持しながら、二次電池１２への充電が行われる（充電モード）。一方、ＳＷ信号のＯＮにより出力スイッチ１３がＯＮとなり、電源供給状態に制御される（放電モード）。
【００３０】
本実施の形態の構成によれば、受電コイル４にキャリアが送出されている状態では、受電モジュール３は送電モジュール１すなわち充電器上に装着されているものと判断され、電源遮断状態に制御される。一方、受電コイル４においてキャリアを受電できない場合は、充電器から取り外されたものと判断され、電源供給状態に制御される。
【００３１】
従って、受電モジュール３が受電位置に装着されているか否かの検出結果に応じた制御が行われる。これにより、受電モジュール３が送電モジュール１の受電位置に装着されている状態では、電源供給状態への切替えが禁止されているので、セット機器が通常の使用に供されていないにも関わらず放電が可能になることが回避される。この機能は、小容量の二次電池の蓄電エネルギーの浪費を防止するために効果的であり、特に、小型のセット機器の場合に有利である。
【００３２】
＜実施の形態２＞
実施の形態２における非接触充電システムについて、図３に示すブロック図を参照して説明する。このシステムは、基本的な構成は、実施の形態１の構成と同様であり、同様の要素については同一の参照符号を付して、説明の繰り返しを省略する。
【００３３】
本実施の形態は、受電モジュール３に、二次電池１２が満充電であるか否かを検出して充電検出信号を出力する充電状態検出部と、充電検出信号を含むデータを送信する送信部が設けられたことを特徴とする。図３では、充電状態検出部は、制御・データ生成回路２０の機能の一部として構成される。すなわち、制御・データ生成回路２０は、充電制御回路１１から供給される制御データに基づき充電検出信号を生成して、変調回路２１に供給する。送信部は、変調回路２１、及び負荷変調部２２により構成され、制御・データ生成回路２０から供給される充電検出信号を含むデータを、受電コイル４を介して送信する。
【００３４】
これに対して送電モジュール１には、受電モジュール３の送信部（２１、２２）からの送信データを受信する受信部２３が設けられ、送電制御回路２４は、受信部２３が受信した充電検出信号に基づいてコイルドライバ６を制御する機能を有する。すなわち、送電制御回路２４は、コイルドライバ６が供給する高周波電力の送電キャリアのレベルを、通常送電レベルと、通常送電レベルよりも低い低減レベルの間で切替える。この切替は、受信部２３が受信する充電検出信号に基づいて行われ、満充電ではない状態では送電キャリアのレベルを通常送電レベルに制御し、満充電の状態では低減レベルに制御する。
【００３５】
この制御動作について、図４を参照して説明する。図４には、受電コイル４における高周波電力のキャリア信号（ａ）の波形と、キャリア検出回路１４が出力するＳＷ信号（ｂ）の波形と、充電モード、スタンバイモード、及び放電モードの期間との対応が示される。キャリア信号（ａ）には、通常送電レベルのキャリアを示す送電時キャリア波形２５と、低減レベルのキャリアを示す低減キャリア波形２６が示される。
【００３６】
キャリア信号（ａ）における送電時キャリア波形２５が存在する期間が、充電モードに対応し、低減キャリア波形２６が存在する期間がスタンバイモードに対応する。キャリア波形が存在しない期間が、放電モードに対応する。キャリア信号（ａ）における、送電時キャリア波形２５の後端部には、満充電であることを示す充電検出信号２７が現れている。充電検出信号２７は、受電モジュール３から送電モジュール１に、負荷変調により送信されたものである。送電制御回路２４は、充電検出信号２７を受信することにより、送電キャリアを通常送電レベルから低減レベルに切替えるので、それにより、低減キャリア波形２６が発生する。
【００３７】
ＳＷ信号（ｂ）は、キャリア信号（ａ）の波形に応じて切替わり、送電時キャリア波形２５または低減キャリア波形２６が存在する期間（充電モード、スタンバイモード）にはＯＦＦ、キャリア波形が存在しない期間（放電モード）にはＯＮの波形となる。
【００３８】
このように、実施の形態１と同様、キャリア検出回路１４は、ＳＷ信号のＯＮ・ＯＦＦにより出力スイッチ１３を制御し、出力スイッチ１３とともに切替制御部を構成する。
【００３９】
実施の形態１と同様、キャリア検出回路１４は、ＳＷ信号をＯＮとＯＦＦで切替えて出力スイッチ１３を制御することにより、切替制御部を構成する。すなわち、ＳＷ信号のＯＦＦにより出力スイッチ１３をＯＦＦに制御し、電源遮断状態を維持する。同時に、キャリア信号（ａ）の状態に応じて、充電モードまたはスタンバイモードとなる。充電モードでは、通常送電レベルのキャリアにより二次電池１２への充電が行われる。スタンバイモードでは、送電モジュール１からの送電電力が低減レベルに低下して充電は行われない。一方、ＳＷ信号のＯＮ状態により出力スイッチ１３がＯＮとなり、電源供給状態に制御される（放電モード）。
【００４０】
以上のように、キャリア検出回路１４でキャリアの存在が検出されている限り、出力スイッチ１３がＯＮに切替わることはない。満充電になったときは、充電は行わないが低減レベルのキャリアが検出されるので、出力スイッチ１３をＯＮに切替えることはなく、スタンバイモードとなる。従って、受電モジュール３がキャリアを受電している間は、自動的に通常動作に切り替わることを防止する機能が得られる。
【００４１】
このように、本実施の形態でも、受電モジュール３が受電位置に装着されているか否かの検出結果に応じた制御が行われる。従って、受電モジュール３が受電位置に装着されている状態では、セット機器が通常の使用に供されていないにも関わらず放電が可能になることが回避される。しかも、満充電の状態になれば、スタンバイモードとなり、消費電力を低減させることができる。
【００４２】
＜実施の形態３＞
実施の形態３における非接触充電システムについて、図５に示すブロック図を参照して説明する。このシステムの基本的な構成は、実施の形態２の構成と同様であり、同様の要素については同一の参照符号を付して、説明の繰り返しを省略する。
【００４３】
本実施の形態は、実施の形態２の受電モジュール３におけるキャリア検出回路１４に代えて、近接スイッチ２８を設けたことを特徴とする。近接スイッチ２８は、送電モジュール１に対する受電モジュール３の装着状態を検出するための装着検出部を構成する。
【００４４】
すなわち、近接スイッチ２８は、受電モジュール３が送電モジュール１に対して所定の受電位置に装着されているか否かに応じて、ＯＮまたはＯＦＦの一方に切替わる。ここでは、ＯＮの状態が受電位置への装着状態に対応するものとする。近接スイッチ２８のＯＮ、ＯＦＦに応じた電圧が制御・データ生成回路２０に供給される。制御・データ生成回路２０は、近接スイッチ２８のＯＮを装着検出信号（受電モジュール３の受電位置への装着状態を検出した信号）に対応させてＳＷ信号を生成し、出力スイッチ１３を制御する。
【００４５】
近接スイッチ２８のＯＮ、ＯＦＦは、送電モジュール１に設けた切替作用部により、受電モジュール３の送電モジュール１への装着の有無に応じて切替えられる。近接スイッチ２８としては、例えば、磁力に応動して制御されるリードスイッチを用いることができる。その場合、送電モジュール１には切替作用部として、受電モジュール３の受電位置に隣接して磁石を配置する。あるいは、近接スイッチ２８として、機械式リードスイッチを用いることもできる。その場合、送電モジュール１には、機械式リードスイッチのＯＮ・ＯＦＦを切り替える押圧部材を設ける。あるいは、近接スイッチ２８を、光源とフォトセンサの組合わせで構成することもできる。
【００４６】
装着検出信号は、実施の形態２におけるキャリア信号にキャリア波形が存在している状態に対応する。従って、制御・データ生成回路２０が出力するＳＷ信号は、装着検出信号が出力されているときはＯＦＦ、供給されていないときはＯＮとなる。すなわち、実施の形態２と同様、ＳＷ信号のＯＦＦは受電モジュール３が送電モジュール１（充電器）に装着された状態、ＳＷ信号のＯＮは受電モジュール３が送電モジュール１に非装着の状態に対応する。
【００４７】
一方、本実施の形態では、受信部２３が受信した充電検出信号に基づいて送電制御回路２４がコイルドライバ６を制御する内容が、実施の形態２とは相違する。すなわち、送電制御回路２４は、コイルドライバ６から通常送電レベルの高周波電力のキャリアを供給する状態と、高周波電力のキャリアを停止する状態との間で切替える。この切替は、充電検出信号が満充電状態を示していないときには通常送電レベルのキャリアを出力し、満充電状態を示しているときにはキャリアの出力を停止するように行われる。
【００４８】
本実施の形態における制御動作について、図６を参照して説明する。図６には、キャリア信号（ａ）の波形と、制御・データ生成回路２０が出力するＳＷ信号（ｂ）の波形と、充電モード、スタンバイモード、及び放電モードの期間との対応が示される。
【００４９】
キャリア信号（ａ）における送電時キャリア波形２９が存在する期間が、充電モードに対応する。実施の形態２の場合と同様、送電時キャリア波形２９の後端部には、満充電であることを示す充電検出信号３０が含まれる。送電制御回路２４は、充電検出信号３０を受信することにより、高周波電力の送電キャリアの出力を停止させる。送電キャリアの出力が停止されると、キャリア信号（ａ）の波形からは送電時キャリア波形２９が消失する。ＳＷ信号（ｂ）がＯＦＦであって、送電時キャリア波形２９が消失した期間が、スタンバイモードに対応する。
【００５０】
上述のように、ＳＷ信号（ｂ）のＯＦＦの期間は、近接スイッチ２８から装着検出信号が出力されることにより発生する。従って、ＳＷ信号（ｂ）がＯＦＦの期間には、キャリア信号（ａ）の状態に関わらず、電源遮断状態が維持される。同時に、上述のとおり、キャリア信号（ａ）の状態に応じて、充電モードまたはスタンバイモードとなる。ＳＷ信号（ｂ）がＯＮの期間には、出力スイッチ１３がＯＮとなり、電源供給状態に制御される（放電モード）。
【００５１】
充電モードでは、電源遮断状態を維持するとともに、通常送電レベルのキャリアにより二次電池１２への充電が行われる。スタンバイモードでは、キャリア信号（ａ）の波形からは送電時キャリア波形２９が消失するが、近接スイッチ２８のＯＮ出力によりＳＷ信号（ｂ）がＯＦＦである。そのため、送電モジュール１からのキャリアの伝送は停止されていても、電源遮断状態が維持される。
【００５２】
このように、満充電になって、送電キャリアが停止されても、受電モジュール３が送電モジュール１に装着された状態にある場合は、近接スイッチ２８から装着検出信号が生成されて、スタンバイモードとなる。これにより、送電キャリアが停止しても、自動的に通常動作に切り替わることを防止する機能が得られる。従って、セット機器が通常の使用に供されていないにも関わらず放電が可能になることが回避される。しかも、満充電の状態になれば、スタンバイモードとなり、消費電力を低減させることができる。
【００５３】
なお、図５に示した構成では、近接スイッチ２８の出力が、制御・データ生成回路２０を介して出力スイッチ１３のＯＮ・ＯＦＦを制御するように構成されている。これに対して、出力スイッチ１３を近接スイッチ２８により構成し、近接スイッチ２８を切替制御部としても機能させることが可能である。すなわち、装着検出部である近接スイッチ２８を、切替制御部である出力スイッチ１３と一体化させた構成が可能である。
【産業上の利用可能性】
【００５４】
本発明の非接触充電システムによれば、受電モジュールの送電モジュールへの装着状態に応じて、電源遮断状態と電源供給状態が切替えられ、小容量の二次電池の蓄電エネルギーの浪費を防止するために効果的であり、携帯電話や補聴器等の小型の電気機器に有用である。
【符号の説明】
【００５５】
１  送電モジュール
２  送電コイル
３  受電モジュール
４  受電コイル
５、８  共振コンデンサ
６  コイルドライバ
７、２４  送電制御回路
９  整流回路
１０  レギュレータ
１１  充電制御回路
１２  二次電池
１３  出力スイッチ
１４  キャリア検出回路
１５  電源部
１６  キャリア波形
２０  制御・データ生成回路
２１  変調回路
２２  負荷変調部
２３  受信部
２５、２９  送電時キャリア波形
２６  低減キャリア波形
２７、３０  充電検出信号
２８  近接スイッチ
【図１】
2014050270.tif 000003
【図２】
2014050270.tif 000004
【図３】
2014050270.tif 000005
【図４】
2014050270.tif 000006
【図５】
2014050270.tif 000007
【図６】
2014050270.tif 000008